(57)【特許請求の範囲】
【請求項１】
第１要求信号に基づいて、第１の処理を実行する第１処理部と、
第２要求信号に基づいて、第１の処理速度又は当該第１の処理速度より遅い第２の処理速度のいずれかを選択し、選択した処理速度で第２の処理を実行する第２処理部と、
前記第１処理部が前記第１の処理を実行中に、前記第２要求信号を検知すると、前記第２処理部に前記第２の処理速度で前記第２の処理を実行させる制御部を有し、
更に、前記第１処理部は、前記第１の処理である原稿の読取処理を実行する原稿読取部であり、
前記第２処理部は、前記第２の処理である媒体への画像の形成処理を実行する画像形成部であり、
更にまた、前記第２要求信号に基づいてカラー画像又はモノクロ画像のいずれの画像が前記媒体に形成されるかを判定するカラー判定部を有し、
前記制御部は、
前記カラー判定部によりモノクロ画像が前記媒体に生成されると判定されると、前記原稿読取部が原稿の読取処理を実行中に前記第２要求信号を検知した場合でも、前記画像形成部に前記第１の処理速度で媒体への画像の形成処理を実行させることを特徴とする情報処理装置。
【請求項２】
第１要求信号に基づいて、第１の処理を実行する第１処理部と、
第２要求信号に基づいて、第１の処理速度又は当該第１の処理速度より遅い第２の処理速度のいずれかを選択し、選択した処理速度で第２の処理を実行する第２処理部と、
前記第１処理部が前記第１の処理を実行中に、前記第２要求信号を検知すると、前記第２処理部に前記第２の処理速度で前記第２の処理を実行させる制御部を有し、
更に、前記第１処理部は、前記第１の処理である媒体への画像の形成処理を実行する画像形成部であり、
前記第２処理部は、前記第２の処理である原稿の読取処理を実行する原稿読取部であり、
更にまた、前記第１要求信号に基づいてカラー画像又はモノクロ画像のいずれの画像が前記媒体に形成されるかを判定するカラー判定部を有し、
前記制御部は、
前記カラー判定部によりモノクロ画像が前記媒体に生成されると判定されると、前記画像形成部が媒体への画像の形成処理を実行中に前記第２要求信号を検知した場合でも、前記原稿読取部に前記第１の処理速度で原稿の読取処理を実行させることを特徴とする情報処理装置。
【請求項３】
第１要求信号に基づいて、第１の処理を実行する第１処理部と、
第２要求信号に基づいて、第１の処理速度、当該第１の処理速度より遅い第２の処理速度、又は当該第２の処理速度より遅い第３の処理速度のいずれかを選択し、選択した処理速度で第２の処理を実行する第２処理部と、
第３の処理を実行する第３処理部を設け、
更に、前記第１処理部が前記第１の処理を実行中かつ前記第３処理部が前記第３の処理を実行中に、前記第２要求信号を検知すると、前記第２処理部に前記第３の処理速度で前記第２の処理を実行させ、
前記第１処理部が前記第１の処理を実行中かつ前記第３処理部が前記第３の処理を実行していない場合、前記第２要求信号を検知すると、前記第２処理部に前記第２の処理速度で前記第２の処理を実行させ、
前記第１処理部が前記第１の処理を実行しておらず、かつ前記第３処理部が前記第３の処理を実行していない場合、前記第２要求信号を検知すると、前記第２処理部に前記第１の処理速度で前記第２の処理を実行させる制御部を有することを特徴とする情報処理装置。
【請求項４】
前記第１処理部は、前記第１の処理である原稿の読取処理を実行する原稿読取部であり、
前記第２処理部は、前記第２の処理である媒体への画像の形成処理を実行する画像形成部であり、
前記第３処理部は、前記第３の処理である媒体への後処理を実行する後処理部であることを特徴とする請求項３記載の情報処理装置。
【請求項５】
前記第１処理部は、前記第１の処理である媒体への画像の形成処理を実行する画像形成部であり、
前記第２処理部は、前記第２の処理である原稿の読取処理を実行する原稿読取部であり、
前記第３処理部は、前記第３の処理である媒体への後処理を実行する後処理部であることを特徴とする請求項３記載の情報処理装置。
【請求項６】
前記後処理は、ステープル又はパンチ処理であることを特徴とする請求項４又は５記載の情報処理装置。
【請求項７】
読取処理を実行する読取部と、
媒体への画像形成処理を実行する画像形成部とを有し、
前記画像形成部は、
画像形成処理の要求信号を受信する印刷動作要求受信部と、
前記読取部の動作状態を保持する第１状態管理部と、
前記第１状態管理部により保持される前記読取部の動作状態が駆動中のとき、前記画像形成処理の処理速度を低速に切り替える印刷速度切替部と、
前記第１状態管理部により保持される前記読取部の動作状態が駆動中のとき、前記印刷動作要求受信部が前記画像形成処理の要求信号を受信すると、前記印刷速度切替部が切り替えた低速の処理速度で前記画像形成処理を実行する第１制御部を有し、
前記読取部は、
読取処理の要求信号を受け付ける読取動作要求受付部と、
画像形成部の動作状態を保持する第２状態管理部と、
前記第２状態管理部により保持される前記読取部の動作状態が駆動中のとき、前記読取処理の処理速度を低速に切り替える読取速度切替部と、
前記第２状態管理部により保持される前記読取部の動作状態が駆動中のとき、前記読取動作要求受付部が前記読取処理の要求信号を受け付けると、前記読取速度切替部が切り替えた低速の処理速度で、前記読取処理を実行する第２制御部を有することを特徴とする情報処理装置。
【請求項８】
前記第１状態管理部は、
前記読取部における読取処理が終了すると当該読取部から動作状態が待機中の旨の情報を取得し、前記読取部における読取処理が開始される直前に当該読取部から動作状態が駆動中の旨の情報を取得し、
前記第２状態管理部は、
前記画像形成部における画像形成処理が終了すると当該画像形成部から動作状態が待機中の旨の情報を取得し、前記画像形成部における画像形成処理が開始される直前に当該画像形成部から動作状態が駆動中の旨の情報を取得することを特徴とする請求項７記載の情報処理装置。
【発明の詳細な説明】
【技術分野】
【０００１】
本発明は原稿に対してスキャナ読取動作を行い、媒体に対して画像形成を行う画像形成装置に関する。
【背景技術】
【０００２】
従来、原稿に対してスキャナ読取動作を行うスキャナユニットと、媒体に対して画像形成を行う印刷ユニットを有する画像形成装置があった。これらの画像形成装置は、ファクシミリ装置、複写機、プリンタ、スキャナ等の機能を有することから複合機として使用されるものである。そして、複合機は複数の機能を有するため、当該複数の機能が同時に利用するときがあり、その場合消費電力のピーク値が大きくなる傾向があった。特に、各機能を高速にする要請があり、また、印刷後の後処理、即ちステープル処理やパンチ処理等の後処理ユニットを設ける要請があった。このような要請からもますます消費電力のピーク値の増加に対処する必要性が生じている。
【０００３】
なお、特開２００７−９０５７０号公報（特許文献１）には、画像形成装置からユーザへの情報の伝達をユーザに適応する言語で迅速かつ簡便に実行する画像形成装置が記載されている。
【先行技術文献】
【特許文献】
【０００４】
【特許文献１】特開２００７−９０５７０号公報
【発明の概要】
【発明が解決しようとする課題】
【０００５】
しかしながら、従来の技術では、印刷処理中に別の動作を要求されたとき、消費電力のピーク値を抑えることができないという問題があった。
【０００６】
本発明が解決しようとする課題は、装置の動作状態に応じて、消費電力のピーク値を抑えることができる情報処理装置を提供することを可能とするものである。
【課題を解決するための手段】
【０００７】
上記課題を解決するために本発明に関する情報処理装置は、第１要求信号に基づいて、第１の処理を実行する第１処理部と、第２要求信号に基づいて、第１の処理速度又は当該第１の処理速度より遅い第２の処理速度のいずれかを選択し、選択した処理速度で第２の処理を実行する第２処理部と、前記第１処理部が前記第１の処理を実行中に、前記第２要求信号を検知すると、前記第２処理部に前記第２の処理速度で前記第２の処理を実行させる制御部を有し、更に、前記第１処理部は、前記第１の処理である原稿の読取処理を実行する原稿読取部であり、前記第２処理部は、前記第２の処理である媒体への画像の形成処理を実行する画像形成部であり、更にまた、前記第２要求信号に基づいてカラー画像又はモノクロ画像のいずれの画像が前記媒体に形成されるかを判定するカラー判定部を有し、前記制御部は、前記カラー判定部によりモノクロ画像が前記媒体に生成されると判定されると、前記原稿読取部が原稿の読取処理を実行中に前記第２要求信号を検知した場合でも、前記画像形成部に前記第１の処理速度で媒体への画像の形成処理を実行させることを特徴とするものである。
【発明の効果】
【０００８】
上記構成を有する本発明によれば、スキャナユニットの動作状態が駆動中に、印刷動作要求受信部が印刷動作の要求信号を受信すると、印刷速度切替部が切り替えた低速の印刷速度に基づき、印刷動作を実行させる制御部を有することとしたので、装置の動作状態に応じて、読取速度又は印刷速度を低速にすることにより、消費電力のピーク値を抑えることができる画像形成装置を提供することが可能になる。
【図面の簡単な説明】
【０００９】
【図１】本発明の第１の実施の形態に関する複合機の構成図である。
【図２】第１の実施の形態に関する複合機の機能を示すブロック図である。
【図３】第１の実施の形態に関する印刷動作の要求時の動作を示すフローチャートである。
【図４】第１の実施の形態に関するスキャナ読取動作の要求時の動作を示すフローチャートである。
【図５】第１の実施の形態の変形例に関する複合機の機能を示すブロック図である。
【図６】第１の実施の形態の変形例に関する動作を示すフローチャートである。
【図７】本発明の第２の実施の形態に関する複合機の構成図である。
【図８】第２の実施の形態に関する複合機の機能を示すブロック図である
【図９】第２の実施の形態に関する印刷動作の要求時の動作を示すフローチャートである。
【図１０】第２の実施の形態に関するスキャナ読取動作要求時の動作を示すフローチャートである。
【図１１】第２の実施の形態の変形例に関する複合機の機能を示すブロック図である。
【図１２】第２の実施の形態の変形例に関する動作を示すフローチャートである。
【発明を実施するための形態】
【００１０】
（第１の実施の形態）
図１は本発明の第１の実施の形態に関する複合機の構成図である。情報処理装置又は画像形成装置としての複合機１００は、印刷媒体に印刷を行う印刷ユニット１２０及び原稿を読み取るスキャナユニット１３０によって構成される。下部に設けられた印刷ユニット１２０の上部には、複数の支持部材１２６が設けられ、上部に設けられたスキャナユニット１３０を支持している。
【００１１】
印刷ユニット１２０において、用紙格納トレイ１２１は印刷媒体を格納し、画像形成部１２２へと印刷媒体を一枚毎に繰出す。画像形成部１２２は電子写真プロセスにより感光ドラム上に現像剤による画像を形成する。画像形成部１２２はカラー画像を形成するためブラック用画像形成部１２２−Ｋ、イエロー用画像形成部１２２−Ｙ、マゼンタ用画像形成部１２２−Ｍ及びシアン用画像形成部１２２−Ｃからなる。転写部１２３は画像形成部１２２の感光ドラム上に形成された現像剤による画像を印刷媒体に転写する。転写部１２３は同じくカラー画像を形成するためブラック用転写部１２３−Ｋ、イエロー用転写部１２３−Ｙ、マゼンタ用転写部１２３−Ｍ及びシアン用転写部１２３−Ｃからなる。定着部１２４は印刷媒体上に転写された現像剤による画像を熱により印刷媒体に定着させる。そして、印刷ユニット１２０の上部に設けられた本体スタッカ１２５は印刷された印刷媒体を排出し、堆積する。
【００１２】
ここで印刷速度は、印刷ユニット１２０における印刷媒体の搬送速度である。印刷媒体の搬送速度は、印刷ユニット１２０内の印刷媒体の搬送ローラ１２７の駆動速度又は図示しない搬送ベルトの駆動速度である。これらの駆動速度が高速であると消費電力のピーク値も高くなる。また、定着部１２４においては、印刷媒体の搬送速度が高速である場合、定着温度を高くする必要がある。即ち、消費電力が高くなる。一方、印刷媒体の搬送速度が低速である場合、定着部１２４の定着温度は低くしてもよい。即ち、消費電力が低く済む。
【００１３】
一方、スキャナユニット１３０において、オペレータパネル１３１はＬＣＤ等の表示機構とスイッチを有し、オペレータによる操作に従ってスキャンデータを受信する。スキャンデータは読取密度、原稿のサイズ、コピーの場合の部数、用紙のサイズ等である。コンタクトガラス１３２は読取対象となる原稿を一枚毎に載置可能とする。スキャナ１３３はスキャナユニット１３０の内部に設けられ、読取対象となる原稿の画像を読み取り読取データに変換する。オートフィーダ１３４は原稿が複数原稿の場合、複数の原稿を自動的に読取るために載置された原稿を一枚毎に繰出し、スキャナ１３３の読取可能位置へ搬送する。
【００１４】
図２は第１の実施の形態に関する複合機１００の機能を示すブロック図である。印刷ユニット１２０において、印刷動作要求受信部としての印刷ユニット送受信部２０２は印刷情報を送信するホストコンピュータ２００と印刷動作の要求信号である印刷データに関する送受信を行う。
【００１５】
更に、スキャナユニット１３０のスキャナ送受信部２３２とスキャンデータや読取データの送受信を行う。制御部としての印刷ユニットコントロール部２０３は印刷ユニット１２０の各部をコントロールする。印刷動作制御部２０５は印刷動作を制御するため画像形成部１２２、転写部１２３及び定着部１２４等の各部をコントロールする。スキャナユニット状態管理部２０６はスキャナユニット１３０の動作状態、即ち駆動中か待機中かの情報を保持する。印刷速度切替部２０４はスキャナユニット１３０の動作状態に基づいた印刷ユニットコントロール部２０３の制御により印刷速度を切り替えるよう構成される。ここで印刷速度が高速になると瞬間消費電力は高くなる。
【００１６】
一方、スキャナユニット１３０において、読取動作要求受付部としてのオペレータパネル１３１はオペレータが操作するスキャナ読取動作の要求を受け付ける。スキャナ送受信部２３２は、スキャナ読取動作の要求を受け付けたオペレータパネル１３１と前記印刷ユニット送受信部２０２とのスキャンデータや読取データの送受信を行う。制御部としてのスキャナコントロール部２３３はスキャナ読取動作を行うためスキャナ１３３をコントロールするとともに、スキャナユニット１３０の各部をコントロールする。印刷ユニット状態管理部２３６は印刷ユニット１２０の動作状態、即ち駆動中か待機中かの情報を保持する。読取速度切替部２３４は印刷ユニット１２０の動作状態に基づいたスキャナコントロール部２３３の制御によりスキャナ１３３の読取速度を切り替えるよう構成される。ここで読取速度が高速になると瞬間消費電力は高くなる。
【００１７】
以下、第１の実施の形態に関する動作について説明する。以下の説明は印刷動作の要求時及びスキャナ読取動作の要求時に分けて説明する。印刷動作の要求時とは印刷データの受信時である。図３は第１の実施の形態に関する印刷動作の要求時の動作を示すフローチャートである。
Ｓ３０１：印刷ユニット１２０の印刷ユニット送受信部２０２は、ホストコンピュータ２００からの印刷動作の要求信号である印刷データを受信する。
Ｓ３０２：印刷データを受信した印刷ユニット送受信部２０２は、印刷ユニット１２０が駆動中になることを駆動状態情報としてスキャナユニット１３０のスキャナ送受信部２３２に通知する。
【００１８】
Ｓ３０３：スキャナユニット１３０のスキャナ送受信部２３２は、通知された駆動状態情報をスキャナコントロール部２３３へ通知する。スキャナコントロール部２３３は印刷ユニット状態管理部２３６に対し、通知された駆動状態情報を格納するよう指示する。
【００１９】
Ｓ３０４：印刷ユニット１２０の印刷ユニットコントロール部２０３はスキャナユニット状態管理部２０６に対し、スキャナユニット１３０の動作状態を通知するよう指示する。印刷ユニットコントロール部２０３はスキャナユニット１３０の動作状態を取得すると、スキャナユニット１３０が駆動中かどうか判定する。スキャナユニット１３０が駆動中であればＳ３０５へ進み、駆動中でなければ、即ち待機中であればＳ３０６へ移行する。
【００２０】
Ｓ３０５：スキャナユニット１３０が駆動中であれば、印刷ユニットコントロール部２０３は印刷速度切替部２０４に対し、印刷速度を低速に変更するよう指示する。ここで印刷速度が低速になると瞬間消費電力は低くなる。
【００２１】
Ｓ３０６：印刷ユニットコントロール部２０３は印刷動作制御部２０５に対し、印刷動作を行うよう指示する。印刷動作制御部２０５は画像形成部１２２、転写部１２３、定着部１２４を動作させる。その際、印刷動作制御部２０５は印刷速度切替部２０４によって切り替えられた印刷速度、即ち、スキャナユニット１３０が駆動中であれば変更された低速の印刷速度で、又はスキャナユニット１３０が待機中であれば高速の印刷速度で、印刷を行う。
【００２２】
Ｓ３０７：印刷ユニットコントロール部２０３は印刷ユニット１２０による印刷動作中において、スキャナユニット状態管理部２０６に対し、スキャナユニット１３０の動作状態を通知するよう指示する。印刷ユニットコントロール部２０３はスキャナユニット１３０の動作状態を取得すると、スキャナユニット１３０が待機中に変更されたかどうか判定する。スキャナユニット１３０が待機中に変更になればＳ３０８へ進み、駆動中のまま又は待機中のままであればＳ３１０に移行する。
【００２３】
Ｓ３０８：スキャナユニット１３０が待機中に変更されたとき、印刷ユニットコントロール部２０３は印刷動作制御部２０５に対し、前用紙が定着部１２４を抜けたかどうか監視を行うよう指示する。なお、この場合印刷ユニットコントロール部２０３は印刷動作制御部２０５に対し、前用紙が印刷動作を終了したかどうか監視するよう指示することでもよい。
【００２４】
Ｓ３０９：前用紙が定着部１２４を抜けたとき、又は前用紙が印刷動作を終了したとき、印刷ユニットコントロール部２０３は印刷速度切替部２０４に対し、次用紙以降に対する印刷速度を高速に変更するよう指示する。
【００２５】
Ｓ３１０：印刷ユニットコントロール部２０３は印刷データが終了かどうか判定する。印刷データが終了であればＳ３１１へ進み、印刷データが終了でなければＳ３０６へ戻り、高速又は低速の印刷速度で印刷動作を継続する。
【００２６】
Ｓ３１１：印刷データが終了であれば、印刷ユニット送受信部２０２は印刷ユニット１２０が待機状態になったことを待機状態情報としてスキャナユニット１３０のスキャナ送受信部２３２に通知する。
【００２７】
Ｓ３１２：スキャナユニット１３０のスキャナ送受信部２３２は、通知された待機状態情報をスキャナコントロール部２３３へ通知する。スキャナコントロール部２３３は印刷ユニット状態管理部２３６に対し、通知された待機状態情報を格納するよう指示する。
【００２８】
以上第１の実施の形態に関する印刷動作の要求時の動作によれば、印刷ユニット１２０に印刷速度切替部２０４を設けたので、スキャナユニット１３０の読取処理の実行中に印刷ユニット１２０が印刷要求信号を受信したとき、より遅い印刷速度で印刷処理を実行可能となるので、印刷処理に要する消費電力のピーク値を抑えることが可能となる。更に、印刷ユニット１２０にスキャナユニット状態管理部２０６を設けたので、印刷実行中にスキャナ１３３が待機状態に変更されたとき、かつ前用紙が定着部１２４を抜けたとき、次用紙以降の印刷を高速印刷に変更することができる。
【００２９】
図４は第１の実施の形態に関するスキャナ読取動作の要求時の動作を示すフローチャートである。
Ｓ４０１：スキャナユニット１３０のスキャナ送受信部２３２は、オペレータの操作したオペレータパネル１３１からスキャナ読取動作の要求であるスキャンデータを受信する。
【００３０】
Ｓ４０２：スキャンデータを受信したスキャナ送受信部２３２は、スキャナユニット１３０が駆動中になることを駆動状態情報として印刷ユニット１２０の印刷ユニット送受信部２０２に通知する。
【００３１】
Ｓ４０３：印刷ユニット１２０の印刷ユニット送受信部２０２は、通知されたスキャナユニット１３０の駆動状態情報を印刷ユニットコントロール部２０３へ通知する。印刷ユニットコントロール部２０３はスキャナユニット状態管理部２０６に対し、通知された駆動状態情報を格納するよう指示する。
【００３２】
Ｓ４０４：スキャナユニット１３０のスキャナコントロール部２３３は印刷ユニット状態管理部２３６に対し、印刷ユニット１２０の動作状態を通知するよう指示する。スキャナコントロール部２３３は印刷ユニット１２０の動作状態を取得すると、印刷ユニット１２０が駆動中かどうか判定する。印刷ユニット１２０が駆動中であればＳ４０５へ進み、駆動中でなければ、即ち待機中であればＳ４０６へ移行する。
【００３３】
Ｓ４０５：印刷ユニット１２０が駆動中であれば、スキャナコントロール部２３３は読取速度切替部２３４に対し、スキャナ読取速度を低速に変更するよう指示する。ここで読取速度が低速になると瞬間消費電力は低くなる。
【００３４】
Ｓ４０６：スキャナコントロール部２３３はスキャナ１３３に対し、読取動作を行うよう指示する。その際、スキャナコントロール部２３３は読取速度切替部２３４によって切り替えられたスキャナ読取速度、即ち印刷ユニット１２０が駆動中であれば変更された低速のスキャナ読取速度で、印刷ユニット１２０が待機中であれば高速のスキャナ読取速度で読取動作を行うよう指示する。
【００３５】
Ｓ４０７：スキャナコントロール部２３３はスキャナ１３３による読取動作中において、印刷ユニット状態管理部２３６に対し、印刷ユニット１２０の動作状態を通知するよう指示する。スキャナコントロール部２３３は印刷ユニット１２０の動作状態を取得すると、印刷ユニット１２０が待機中に変更されたかどうか判定する。印刷ユニット１２０が待機中に変更になればＳ４０８へ進み、駆動中のまま又は待機中のままであればＳ４１０に移行する。
【００３６】
Ｓ４０８：印刷ユニット１２０が待機中に変更されたとき、スキャナコントロール部２３３はスキャナ１３３に対し、前原稿の１ページが読取完了したかどうか通知するよう指示する。スキャナコントロール部２３３は前原稿の１ページが読取完了したかどうか監視を行う。
【００３７】
Ｓ４０９：前原稿の１ページが読取完了したとき、スキャナコントロール部２３３は読取速度切替部２３４に対し、次原稿のスキャナ１３３の読取速度を高速に変更するよう指示する。スキャナ１３３は次用紙から読取速度を高速で読取りを行う。
【００３８】
Ｓ４１０：スキャナコントロール部２３３はスキャナ１３３による読取データが終了かどうか判定する。スキャナ１３３による読取データが最終ページを読み取ったのであればＳ４１１へ進み、読取データが終了でなければＳ４０６へ戻り、低速又は高速のスキャナ読取速度で読取動作を継続する。
【００３９】
Ｓ４１１：スキャナ１３３による読取データが終了であるとき、スキャナ送受信部２３２はスキャナユニット１３０が待機状態になったことを待機状態情報として印刷ユニット１２０の印刷ユニット送受信部２０２に通知する。
【００４０】
Ｓ４１２：印刷ユニット１２０の印刷ユニット送受信部２０２は、通知されたスキャナユニット１３０の待機状態情報を印刷ユニットコントロール部２０３へ通知する。印刷ユニットコントロール部２０３はスキャナユニット状態管理部２０６に対し、通知された待機状態情報を格納するよう指示する。
【００４１】
以上第１の実施の形態に関するスキャナ読取動作の要求時の動作によれば、スキャナユニット１３０に読取速度切替部２３４を設けたので、印刷ユニット１２０の印刷処理実行中にスキャナユニット１３０に対する読取処理要求信号があるとき、より遅い読取速度で読取処理を実行可能となるので、読取処理に要する消費電力のピーク値を抑えることができる。更に、スキャナユニット１３０に印刷ユニット状態管理部２３６を設けたので、読取実行中に印刷ユニット１２０が待機状態に変更されたとき、かつ前原稿の１ページが読取完了したとき、次原稿以降のスキャナ１３３の読取速度を高速に変更することができる。
【００４２】
以上のように第１の実施の形態によれば、複数機能を有する装置の各機能の動作状態に応じて、他の機能の動作速度を低速又は高速にすることにより、装置としての消費電力のピーク値を抑えることができるという効果が得られる。
【００４３】
（変形例１）
前記第１の実施の形態では、印刷ユニット１２０による印刷動作がカラー印刷の場合を説明したが、カラー印刷が可能な印刷ユニット１２０において、モノクロ印刷のときには本発明を適用しないようにすることも可能である。以下詳細に説明する。
【００４４】
図５は第１の実施の形態の変形例に関する複合機１００の機能を示すブロック図である。前述の第１の実施の形態に関する複合機１００の機能を示す図２と異なるところは、印刷ユニット１２０において、カラー印刷判定部２５１を有する点である。カラー印刷判定部２５１は、印刷ユニット１２０がカラー印刷を行うか、モノクロ印刷を行うか判定をする。また、スキャナユニット１３０において、印刷ユニット状態管理部２３６は、印刷ユニット１２０の動作状態が駆動中か待機中かの情報を保持するとともに、駆動中の場合は、カラー印刷かモノクロ印刷かの情報を保持する。図５における他の構成は、図２に示す第１の実施の形態に関する複合機１００の機能と同じであるので説明を省略する。
【００４５】
図６は第１の実施の形態の変形例に関する動作を示すフローチャートである。同図（ａ）は印刷動作の要求時の動作を示し、同図（ｂ）はスキャナ読取動作の要求時の動作を示す。同図（ａ）において、Ｓ３３１：前記Ｓ３０１において、ホストコンピュータ２００からの印刷データを受信し、Ｓ３０２において、印刷ユニット１２０が駆動中になることをスキャナユニット１３０に通知する。そして、Ｓ３０３の後、印刷ユニット１２０の印刷ユニットコントロール部２０３はカラー印刷判定部２５１に対し、カラー印刷を行うかどうか判定するよう指示する。カラー印刷を行うときはＳ３０４へ移行し、スキャナ駆動中かどうか判定の後、スキャナ駆動中であれば印刷速度低速に変更する。カラー印刷を行わないとき、即ちモノクロ印刷のときは、Ｓ３３２へ進む。
【００４６】
Ｓ３３２：印刷ユニットコントロール部２０３は印刷動作制御部２０５に対し、印刷動作を行うよう指示する。印刷動作制御部２０５は画像形成部１２２、転写部１２３、定着部１２４を動作させる。その際、印刷動作制御部２０５は高速の印刷速度によって印刷する。
【００４７】
Ｓ３３３：印刷ユニットコントロール部２０３は印刷データが終了かどうか判定する。印刷データが終了であればＳ３１１へ進み、印刷データが終了でなければＳ３３２へ戻り、高速の印刷速度で印刷動作を継続する。
【００４８】
このように変形例１の印刷動作の要求時の動作によれば、カラー印刷のときは本発明による印刷速度を低速に変更して消費電力のピーク値を抑えることができる。例えばスキャナユニット１３０の読取処理の実行中にプリンタがカラー印刷の印刷要求信号を受信すると、より遅いカラー印刷の印刷速度で印刷処理を実行するので、印刷処理に要する消費電力のピーク値を抑えることができる。モノクロ印刷の場合においては、カラー印刷の場合が、同時に稼動する画像形成部１２２−Ｋ、１２２−Ｙ、１２２−Ｍ、１２２−Ｃの数が一般的に４個となるのに比較し、常に１個である。そして、モノクロ印刷はカラー印刷に比較して定着温度が低い。これらの理由からモノクロ印刷のときは、消費電力のピーク値が比較的低いので本発明を適用しないで、替わりに高速で印刷を行うことができる。
【００４９】
また、同図（ｂ）において、Ｓ４３１：Ｓ４０３の後、スキャナユニット１３０のスキャナコントロール部２３３は印刷ユニット状態管理部２３６に対し、印刷ユニット１２０の動作状態を通知するよう指示する。スキャナコントロール部２３３は印刷ユニット１２０の動作状態を取得すると、カラー印刷を行っているか、モノクロ印刷を行っているか判定する。カラー印刷を行っているときはＳ４０４へ移行し、モノクロ印刷を行っているときはＳ４３２へ進む。
【００５０】
Ｓ４３２：スキャナコントロール部２３３はスキャナ１３３に対し、読取動作を行うよう指示する。その際、スキャナコントロール部２３３は高速のスキャナ読取速度で読取動作を行うよう指示する。
【００５１】
Ｓ４３３：スキャナコントロール部２３３はスキャナ１３３による読取データが終了かどうか判定する。スキャナ１３３による読取データが最終ページを読み取ったのであればＳ４１１へ進み、読取データが終了でなければＳ４３２へ戻り、高速のスキャナ読取速度で読取動作を継続する。
【００５２】
このように変形例１のスキャナ読取動作の要求時によれば、印刷ユニット１２０がカラー印刷のときは本発明によるスキャナユニット１３０のスキャナ読取速度を低速に変更して消費電力のピーク値を抑えることができる。例えばプリンタがカラー印刷での印刷処理実行中に、スキャナ１３３が読取処理要求信号を受信すると、より遅い読取速度で読取処理を実行するので、読取処理に要する消費電力のピーク値を抑えることができる。一方、印刷ユニット１２０がモノクロ印刷のときは消費電力のピーク値が比較的低いので、本発明を適用しないで、替わりに高速でスキャナ読取動作を行うことができる。
【００５３】
（第２の実施の形態）
図７は本発明の第２の実施の形態に関する複合機の構成図である。情報処理装置又は画像形成装置としての複合機５００は、印刷媒体に印刷を行う印刷ユニット５２０、原稿を読み取るスキャナユニット５３０及びステープル／パンチ処理を行う後処理ユニット５４０によって構成される。下部に設けられた印刷ユニット５２０の上部には、複数の支持部材５２６が設けられ、上部に設けられたスキャナユニット５３０を支持している。後処理ユニット５４０は、印刷ユニット５２０により印刷された印刷媒体の後処理を行うため印刷ユニット５２０の隣に配置される。
【００５４】
印刷ユニット５２０において、用紙格納トレイ５２１は印刷媒体を格納し、画像形成部５２２へと印刷媒体を一枚毎に繰出す。画像形成部５２２は電子写真プロセスにより感光ドラム上に現像剤による画像を形成する。画像形成部５２２はカラー画像を形成するためブラック用画像形成部５２２−Ｋ、イエロー用画像形成部５２２−Ｙ、マゼンタ用画像形成部５２２−Ｍ及びシアン用画像形成部５２２−Ｃからなる。転写部５２３は画像形成部５２２の感光ドラム上に形成された現像剤による画像を印刷媒体に転写する。転写部５２３は同じくカラー画像を形成するためブラック用転写部５２３−Ｋ、イエロー用転写部５２３−Ｙ、マゼンタ用転写部５２３−Ｍ及びシアン用転写部５２３−Ｃからなる。定着部５２４は印刷媒体上に転写された現像剤による画像を熱により印刷媒体に定着させる。そして、印刷ユニット５２０の上部に設けられた本体スタッカ５２５は印刷された印刷媒体を排出し、堆積する。
【００５５】
一方、スキャナユニット５３０において、オペレータパネル５３１はＬＣＤ等の表示機構とスイッチを有し、オペレータによる操作に従ってスキャンデータを受信する。スキャンデータは読取密度、原稿のサイズ、コピーの場合の部数、用紙のサイズ等である。コンタクトガラス５３２は読取対象となる原稿を一枚毎に載置可能とする。スキャナ５３３はスキャナユニット５３０の内部に設けられ、読取対象となる原稿の画像を読み取り読取データに変換する。オートフィーダ５３４は原稿が複数原稿の場合、複数の原稿を自動的に読取るために載置された原稿を一枚毎に繰出し、スキャナ５３３の読取可能位置へ搬送する。
【００５６】
更に、後処理ユニット５４０において、第１搬送ローラ５４１は、後処理ユニット５４０の先頭に位置し、印刷ユニット５２０から印刷済みの印刷媒体を吸収し、パンチユニット５４３へ搬送する。給入センサ５４２は印刷媒体が後処理ユニット５４０に吸収されたことを検出する。パンチユニット５４３は搬送される印刷媒体に対し必要に応じてパンチを開ける。第２搬送ローラ５４４は印刷媒体をステープルスタッカ５４５へ搬送する。ステープルスタッカ５４５は所定の枚数の印刷媒体をステープル処理のために堆積する。ステープルユニット５４８はステープルスタッカ５４５内の印刷媒体に対し、一括してステープル処理を行う。排出ベルト５４６と排出ベルト５４６に固定された排出爪５４７はステープル処理された印刷媒体を排出スタッカ５４９へと搬送する。
【００５７】
図８は第２の実施の形態に関する複合機５００の機能を示すブロック図である。印刷ユニット５２０において、印刷動作要求受信部としての印刷ユニット送受信部６０２は印刷情報を送信するホストコンピュータ６００と印刷動作の要求信号である印刷データに関する送受信を行う。更に、スキャナユニット５３０のスキャナ送受信部６３２とスキャンデータや読取データの送受信を行う。制御部としての印刷ユニットコントロール部６０３は印刷ユニット５２０の各部と、後処理ユニット５４０の後処理コントロール部６１２をコントロールする。印刷動作制御部６０５は印刷動作を制御するため画像形成部５２２、転写部５２３及び定着部５２４等の各部をコントロールする。スキャナユニット状態管理部６０６はスキャナユニット５３０の動作状態、即ち駆動中か待機中かの情報を保持する。印刷速度切替部６０４はスキャナユニット５３０の動作状態に基づいた印刷ユニットコントロール部６０３の制御により印刷速度を切り替えるよう構成される。
【００５８】
一方、スキャナユニット５３０において、読取動作要求受付部としてのオペレータパネル５３１はオペレータが操作するスキャナ読取動作の要求を受け付ける。スキャナ送受信部６３２は、スキャナ読取動作の要求を受け付けたオペレータパネル５３１と前記印刷ユニット送受信部６０２とのスキャンデータや読取データの送受信を行う。制御部としてのスキャナコントロール部６３３はスキャナ読取動作を行うためスキャナ５３３をコントロールするとともに、スキャナユニット５３０の各部をコントロールする。印刷ユニット状態管理部６３６は印刷ユニット５２０の動作状態、即ち駆動中か待機中かの情報を保持する。読取速度切替部６３４は印刷ユニット５２０の動作状態に基づいたスキャナコントロール部６３３の制御によりスキャナ５３３の読取速度を切り替えるよう構成される。
【００５９】
更に、後処理ユニット５４０において、後処理コントロール部６１２は印刷ユニットコントロール部６０３のコントロールにより、パンチ／ステープル処理を行うためパンチユニット５４３とステープルユニット５４８の動作を制御する。パンチユニット５４３は、印刷媒体に対して一枚毎に穴あけ処理を行う。ステープルユニット５４８は複数に揃えられた印刷媒体に対してステープル処理を行う。
【００６０】
以下、第２の実施の形態に関する動作について説明する。以下の説明は印刷動作の要求時及びスキャナ読取動作の要求時に分けて説明する。図９は第２の実施の形態に関する印刷動作の要求時の動作を示すフローチャートである。
【００６１】
Ｓ７０１：印刷ユニット５２０の印刷ユニット送受信部６０２は、ホストコンピュータ６００からの印刷動作の要求信号である印刷データを受信する。
【００６２】
Ｓ７０２：印刷データを受信した印刷ユニット送受信部６０２は、印刷データに後処理要求が含まれているかどうか判定する。後処理要求が含まれている印刷の場合はＳ７０３へ進み、後処理要求が含まれていない通常の印刷である場合はＳ７０４へ移行する。
【００６３】
Ｓ７０３：印刷データに後処理要求が含まれている場合、印刷ユニット送受信部６０２は印刷ユニット５２０が印刷中及び後処理中になることを駆動状態情報としてスキャナユニット５３０のスキャナ送受信部６３２に通知する。
【００６４】
Ｓ７０４：通常の印刷である場合、印刷ユニット送受信部６０２は印刷ユニット５２０が印刷中になることを駆動状態情報としてスキャナ送受信部６３２に通知する。
【００６５】
Ｓ７０５：スキャナユニット５３０のスキャナ送受信部６３２は、通知された駆動状態情報をスキャナコントロール部６３３へ通知する。スキャナコントロール部６３３は印刷ユニット状態管理部６３６に対し、通知された駆動状態情報を格納するよう指示する。
【００６６】
Ｓ７０６：印刷ユニット５２０の印刷ユニットコントロール部６０３は、スキャナユニット状態管理部６０６に対し、スキャナユニット５３０の動作状態を通知するよう指示する。印刷ユニットコントロール部６０３はスキャナユニット５３０の動作状態を取得すると、スキャナユニット５３０が駆動中かどうか判定する。スキャナユニット５３０が駆動中であればＳ７０７へ進み、駆動中でなければ、即ち待機中であればＳ７１０へ移行する。
【００６７】
Ｓ７０７：スキャナユニット５３０が駆動中であれば、続いて印刷ユニットコントロール部６０３は後処理要求が含まれているかどうか再度判定する。後処理要求が含まれていればＳ７０８進み、後処理要求が含まれていなければＳ７０９へ移行する。
【００６８】
Ｓ７０８：スキャナユニット５３０が駆動中で、かつ後処理要求が含まれていれば、印刷ユニットコントロール部６０３は印刷速度切替部６０４に対し、印刷速度を低速に変更するよう指示する。
【００６９】
Ｓ７０９：スキャナユニット５３０が駆動中で、かつ後処理要求が含まれていなければ、印刷ユニットコントロール部６０３は印刷速度切替部６０４に対し、印刷速度を中速に変更するよう指示する。
【００７０】
Ｓ７１０：印刷ユニットコントロール部６０３は印刷動作制御部６０５に対し、印刷動作を行うよう指示する。印刷動作制御部６０５は画像形成部５２２、転写部５２３、定着部５２４を動作させる。その際、印刷動作制御部６０５は印刷速度切替部６０４によって切り替えられた印刷速度、即ちスキャナユニット５３０が駆動中であれば低速若しくは中速の印刷速度で、又はスキャナユニット５３０が待機中であれば高速の印刷速度で印刷を行う。更に、後処理要求があれば、印刷ユニットコントロール部６０３は後処理コントロール部６１２に対し、パンチユニット５４３又はステープルユニット５４８を動作させるよう指示する。
【００７１】
Ｓ７１１：印刷ユニットコントロール部６０３は印刷ユニット５２０による印刷動作中において、スキャナユニット状態管理部６０６に対し、スキャナユニット５３０の動作状態を通知するよう指示する。印刷ユニットコントロール部６０３はスキャナユニット５３０の動作状態を取得すると、スキャナユニット５３０が待機中に変更されたかどうか判定する。スキャナユニット５３０が待機中に変更されればＳ７１２へ進み、駆動中のまま又は待機中のままであればＳ７１４へ移行する。
【００７２】
Ｓ７１２：スキャナユニット５３０が待機中に変更されたとき、印刷ユニットコントロール部６０３は印刷動作制御部６０５及び後処理ユニット５４０の後処理ユニットコントロール部６１２に対し、前用紙が印刷動作及び後処理が完了したかどうか監視するよう指示する。
【００７３】
Ｓ７１３：前用紙の印刷動作及び後処理が完了したとき、印刷ユニットコントロール部６０３は印刷速度切替部６０４に対し、次用紙以降の印刷速度を高速に変更するよう指示する。
【００７４】
Ｓ７１４：印刷ユニットコントロール部６０３は印刷データが終了かどうか判定する。印刷データが終了であればＳ７１５へ進み、印刷データが終了でなければＳ７１０へ戻り、印刷動作を継続する。
【００７５】
Ｓ７１５：印刷データが終了であれば、印刷ユニット送受信部６０２は印刷ユニット５２０が待機状態になったことを待機状態情報としてスキャナユニット５３０のスキャナ送受信部６３２に通知する。
【００７６】
Ｓ７１６：スキャナユニット５３０のスキャナ送受信部６３２は、通知された待機状態情報をスキャナコントロール部６３３へ通知する。スキャナコントロール部６３３は印刷ユニット状態管理部６３６に対し、通知された待機状態情報を格納するよう指示する。
【００７７】
以上第２の実施の形態に関する印刷動作の要求時の動作によれば、印刷ユニット５２０に印刷速度切替部６０４を設けたので、スキャナユニット５３０の読取処理の実行中かつ後処理要求ありのときに印刷ユニット５２０が印刷要求信号を受信したとき、より遅い印刷速度で印刷処理を実行可能となるので、印刷処理に要する消費電力のピーク値を抑えることが可能となる。特に、印刷媒体に画像の形成処理を行った後のステープルやパンチ等の後処理の実行中にプリンタの印刷処理要求信号を受信すると、同様により遅い処理速度で印刷を行うので、消費電力のピーク値を抑えることができる。更に、印刷ユニット５２０にスキャナユニット状態管理部６０６を設けたので、印刷実行中にスキャナユニット５３０が待機状態に変更されたとき、かつ前用紙が印刷動作及び後処理が完了したとき、次用紙以降の印刷を高速印刷に変更することができる。
【００７８】
図１０は第２の実施の形態に関するスキャナ読取動作要求時の動作を示すフローチャートである。
Ｓ８０１：スキャンユニット５３０のスキャナ送受信部６３２は、オペレータの操作したオペレータパネル５３１からスキャナ読取動作の要求であるスキャンデータを受信する。
【００７９】
Ｓ８０２：スキャンデータを受信したスキャナ送受信部６３２は、スキャナユニット５３０が駆動中になることを駆動状態情報として印刷ユニット５２０の印刷ユニット送受信部６０２に通知する。
【００８０】
Ｓ８０３：印刷ユニット５２０の印刷ユニット送受信部６０２は、通知されたスキャナユニット５３０の駆動状態情報を印刷ユニットコントロール部６０３へ通知する。印刷ユニットコントロール部６０３はスキャナユニット状態管理部６０６に対し、通知された駆動状態情報を格納するよう指示する。
【００８１】
Ｓ８０４：スキャナユニット５３０のスキャナコントロール部６３３は印刷ユニット状態管理部６３６に対し、印刷ユニット５２０の動作状態を通知するよう指示する。スキャナコントロール部６３３は印刷ユニット５２０の動作状態を取得すると、印刷ユニット５２０が駆動中かどうか判定する。印刷ユニット５２０が駆動中であればＳ８０５へ進み、駆動中でなければ、即ち待機中であればＳ８０８へ移行する。
【００８２】
Ｓ８０５：印刷ユニット５２０が駆動中であれば、続いてスキャナコントロール部６３３は後処理要求が含まれているかどうか判定する。後処理要求が含まれていればＳ８０６進み、後処理要求が含まれていなければＳ８０７へ移行する。
【００８３】
Ｓ８０６：印刷ユニット５２０が駆動中で、かつ後処理要求が含まれていれば、スキャナコントロール部６３３は読取速度切替部６３４に対し、スキャナ読取速度を低速に変更するよう指示する。その後、スキャナ５３３は低速で読取りを行う。
【００８４】
Ｓ８０７：印刷ユニット５２０が駆動中で、かつ後処理要求が含まれていなければ、スキャナコントロール部６３３は読取速度切替部６３４に対し、スキャナ読取速度を中速に変更するよう指示する。その後、スキャナ５３３は中速で読取りを行う。
【００８５】
Ｓ８０８：スキャナコントロール部６３３はスキャナ５３３に対し、読取動作を行うよう指示する。その際、スキャナコントロール部６３３は読取速度切替部６３４によって切り替えられたスキャナ読取速度、即ち印刷ユニット５２０が駆動中であれば変更された低速若しくは中速のスキャナ読取速度で、印刷ユニット５２０が待機中であれば高速のスキャナ読取速度で読取動作を行うよう指示する。
【００８６】
Ｓ８０９：スキャナコントロール部６３３はスキャナ５３３による読取動作中において、印刷ユニット状態管理部６３６に対し、印刷ユニット５２０の動作状態を通知するよう指示する。スキャナコントロール部６３３は印刷ユニット５２０の動作状態を取得すると、印刷ユニット５２０が待機中に変更されたかどうか判定する。印刷ユニット５２０が待機中に変更されればＳ８１０へ進み、駆動中のまま又は待機中のままであればＳ８１２へ移行する。
【００８７】
Ｓ８１０：印刷ユニット５２０が待機中に変更されたとき、スキャナコントロール部６３３はスキャナ５３３に対し、前原稿の１ページが読取完了したかどうか通知するよう指示する。スキャナコントロール部６３３は前原稿の１ページが読取完了したかどうか監視を行う。
【００８８】
Ｓ８１１：前原稿の１ページ読取完了のとき、スキャナコントロール部６３３は読取速度切替部６３４に対し、スキャナ５３３の読取速度を高速に変更するよう指示する。スキャナ５３３は次原稿以降から読取速度を高速で読取りを行う。
【００８９】
Ｓ８１２：スキャナコントロール部６３３はスキャナ５３３による読取データが終了かどうか判定する。スキャナ５３３による読取データが終了であればＳ８１３へ進み、読取データが終了でなければＳ８０８へ戻り、低速若しくは中速又は高速のスキャナ読取速度で読取動作を継続する。
【００９０】
Ｓ８１３：スキャナ５３３による読取データが終了であるとき、スキャナ送受信部６３２はスキャナユニット５３０が待機状態になったことを待機状態情報として印刷ユニット５２０の印刷ユニット送受信部６０２に通知する。
【００９１】
Ｓ８１４：印刷ユニット５２０の印刷ユニット送受信部６０２は、通知されたスキャナユニット５３０の待機状態情報を印刷ユニットコントロール部６０３へ通知する。印刷ユニットコントロール部６０３はスキャナユニット状態管理部６０６に対し、通知された待機状態情報を格納するよう指示する。
【００９２】
以上第２の実施の形態に関するスキャナ読取動作の要求時の動作によれば、スキャナユニット５３０に読取速度切替部６３４を設けたので、印刷ユニット５２０の印刷処理実行中かつ後処理要求ありでスキャナユニット５３０に対する読取処理要求信号があるとき、より遅い読取速度で読取処理を実行可能となるので、読取処理に要する消費電力のピーク値を抑えることができる。特に、印刷媒体に画像の形成処理を行った後のステープルやパンチ等の後処理の実行中にスキャナユニット５３０の読取処理要求信号を受信すると、より遅い処理速度で読取を行うので、消費電力のピーク値を抑えることができる。更に、スキャナユニット５３０に印刷ユニット状態管理部６３６を設けたので、読取実行中に印刷ユニット５２０が待機状態に変更され、かつ前原稿の１ページが読取及び後処理が完了したとき、次原稿以降のスキャナ５３３の読取速度を高速に変更することができる。
【００９３】
以上のように、第２の実施の形態によれば、後処理ユニット５４０を含めた複数機能を有する装置の各機能の動作状態に応じて、他の機能の動作速度を低速又は高速にすることにより、パフォーマンスの低下を極力維持し、消費電力のピーク値を抑えるという効果が得られる。
【００９４】
（変形例２）
前記第２の実施の形態では、印刷ユニット５２０による印刷動作がカラー印刷の場合を説明したが、カラー印刷が可能な印刷ユニット５２０において、モノクロ印刷の場合には本発明を適用しないようにすることも可能である。以下詳細に説明する。図１１は第２の実施の形態の変形例に関する複合機５００の機能を示すブロック図である。前述の第２の実施の形態に関する複合機５００の機能を示す図８と異なるところは、印刷ユニット５２０において、カラー印刷判定部６５１を有する点である。カラー印刷判定部６５１は、印刷ユニット５２０がカラー印刷を行うか、モノクロ印刷を行うか判定をする。また、スキャナユニット５３０において、印刷ユニット状態管理部６３６は、印刷ユニット５２０の動作状態が駆動中か待機中かの情報を保持するとともに、駆動中の場合は、カラー印刷かモノクロ印刷かの情報を保持する。図１１における他の構成は、図８に示す第２の実施の形態に関する複合機５００の機能と同じであるので説明を省略する。
【００９５】
図１２は第２の実施の形態の変形例に関する動作を示すフローチャートである。同図（ａ）は印刷動作の要求時の動作を示し、同図（ｂ）はスキャナ読取動作の要求時の動作を示す。同図（ａ）において、Ｓ７３１：Ｓ７０５の後、印刷ユニット５２０の印刷ユニットコントロール部６０３はカラー印刷判定部６５１に対し、カラー印刷を行うかどうか判定するよう指示する。カラー印刷を行うときはＳ７０６へ移行し、カラー印刷を行わないとき、即ちモノクロ印刷のときは、Ｓ７３２へ進む。
【００９６】
Ｓ７３２：印刷ユニットコントロール部６０３は印刷動作制御部６０５に対し、印刷動作を行うよう指示する。印刷動作制御部６０５は画像形成部５２２、転写部５２３、定着部５２４を動作させる。その際、印刷動作制御部６０５は高速の印刷速度によって印刷する。
【００９７】
Ｓ７３３：印刷ユニットコントロール部６０３は印刷データが終了かどうか判定する。印刷データが終了であればＳ７１５へ進み、印刷データが終了でなければＳ７３２へ戻り、高速の印刷速度で印刷動作を継続する。
【００９８】
このように変形例２によれば、カラー印刷のとき、かつ後処理要求があるときは本発明による印刷速度を低速に変更して消費電力のピーク値を抑えることができる。例えばスキャナユニット５３０の読取処理の実行中にプリンタがカラー印刷の印刷要求信号を受信すると、より遅いカラー印刷の印刷速度で印刷処理を実行するので、印刷処理に要する消費電力のピーク値を抑えることができる。モノクロ印刷のときは、消費電力のピーク値が比較的低いので本発明を適用しないで、替わりに高速で印刷を行うことができる。
【００９９】
また、同図（ｂ）において、Ｓ８３１：Ｓ８０３の後、スキャナユニット５３０のスキャナコントロール部６３３は印刷ユニット状態管理部６３６に対し、印刷ユニット５２０の動作状態を通知するよう指示する。スキャナコントロール部６３３は印刷ユニット５２０の動作状態を取得すると、カラー印刷を行っているか、モノクロ印刷を行っているか判定する。カラー印刷を行っているときはＳ８０４へ移行し、モノクロ印刷を行っているときはＳ８３２へ進む。
【０１００】
Ｓ８３２：スキャナコントロール部６３３はスキャナ５３３に対し、読取動作を行うよう指示する。その際、スキャナコントロール部６３３は高速のスキャナ読取速度で読取動作を行うよう指示する。
【０１０１】
Ｓ８３３：スキャナコントロール部６３３はスキャナ５３３による読取データが終了かどうか判定する。スキャナ５３３による読取データが最終ページを読み取ったのであればＳ８１３へ進み、読取データが終了でなければＳ８３２へ戻り、高速のスキャナ読取速度で読取動作を継続する。
【０１０２】
このように変形例２によれば、印刷ユニット５２０がカラー印刷のとき、かつ後処理要求があるときは本発明によるスキャナユニット５３０のスキャナ読取速度を低速に変更して消費電力のピーク値を抑えることができる。一方、印刷ユニット５２０がモノクロ印刷のときは消費電力のピーク値が比較的低いので、本発明を適用しないで、替わりに高速でスキャナ読取動作を行うことができる。前述の第１、第２の実施の形態の説明は印刷機能及びスキャナ機能を有する情報処理装置又は画像形成装置としての複合機に適用した例を説明したが、プリンタ、ファクシミリ、複写機或いはコピー機能を有する情報処理装置又は画像形成装置としての複合機についても適用可能である。
【符号の説明】
【０１０３】
１００    ５００      複合機                                                 
１２０    ５２０      印刷ユニット
１２２    ５２２      画像形成部
１２３    ５２３      転写部
１２４    ５２４      定着部
１３０    ５３０      スキャナユニット
１３３    ５３３      スキャナ
２００    ６００      ホストコンピュータ
２０２    ６０２      印刷ユニット送受信部
２０３    ６０３      印刷ユニットコントロール部
２０４    ６０４      印刷速度切替部
２０５    ６０５      印刷動作制御部
２０６    ６０６      スキャナユニット状態管理部
２３２    ６３２      スキャナ送受信部
２３３    ６３３      スキャナコントロール部
２３６    ６３６      印刷ユニット状態管理部
２３４    ６３４      読取速度切替部
５４０                後処理ユニット
【図１】
0005459911.tif 000002
【図２】
0005459911.tif 000003
【図３】
0005459911.tif 000004
【図４】
0005459911.tif 000005
【図５】
0005459911.tif 000006
【図６】
0005459911.tif 000007
【図７】
0005459911.tif 000008
【図８】
0005459911.tif 000009
【図９】
0005459911.tif 000010
【図１０】
0005459911.tif 000011
【図１１】
0005459911.tif 000012
【図１２】
0005459911.tif 000013